(57)【要約】本発明は、参加している１対多サービスの選好周波数上のセル選択を有利にする周波数層収束方式の利用を一時停止する方法に関する。特に、選好周波数を有する１対多サービスに参加している移動端末は、セル選択のための周波数層収束方式を用いる。前記周波数層収束方式は、選好周波数層上のセル選択を有利にする。しかしながら、前記周波数層収束方式の利用は、トリガー発生時に一時的に停止される。本発明により、選好周波数を有する１対多サービスに参加する段階と、セル選択のために前記選好周波数上のセルの選択を有利にする周波数層収束方式を用いる段階と、トリガー発生時に前記周波数層収束方式の利用を一時停止する段階とを含むことを特徴とする無線通信システムにおける移動端末のセル選択方法ガ提供される。
2008503151.tif 000002
【特許請求の範囲】
【請求項１】
選好周波数を有する１対多サービスに参加する段階と、
セル選択のために前記選好周波数上のセルの選択を有利にする周波数層収束方式を用いる段階と、
トリガー発生時に前記周波数層収束方式の利用を一時停止する段階と
を含むことを特徴とする無線通信システムにおける移動端末のセル選択方法。
【請求項２】
前記１対多サービスは、ＭＢＭＳサービスであることを特徴とする請求項１に記載の無線通信システムにおける移動端末のセル選択方法。
【請求項３】
前記周波数層収束方式の利用を一時停止させるトリガーは、前記周波数層収束方式の利用中に失敗したネットワークで開始された過程に基づくことを特徴とする無線通信システムにおける移動端末のセル選択方法。
【請求項４】
前記過程は、コアネットワーク（ＣＮ）ドメインとの接続を設定する段階を含むことを特徴とする請求項３に記載の無線通信システムにおける移動端末のセル選択方法。
【請求項５】
前記ＣＮドメインは、パケット交換（ＰＳ）ドメイン及び回路交換（ＣＳ）ドメインの少なくとも１つであることを特徴とする請求項４に記載の無線通信システムにおける移動端末のセル選択方法。
【請求項６】
前記過程は、
ＰＲＡＣＨアクセス過程と、
ネットワークに情報を伝送するための無線リソース制御（ＲＲＣ）過程と、
ネットワークにデータを伝送するための媒体アクセス制御（ＭＡＣ）過程と、
ネットワークから受信された順序で所定の周波数上のセルを選択する過程とのうち少なくとも１つを含むことを特徴とする請求項３に記載の無線通信システムにおける移動端末のセル選択方法。
【請求項７】
前記周波数層収束方式の利用を一時停止させるトリガーは、再構成過程を開始するためのメッセージを受信する段階を含むことを特徴とする請求項１に記載の無線通信システムにおける移動端末のセル選択方法。
【請求項８】
前記周波数層収束方式の利用を一時停止させるトリガーは、ネットワークから受信された順序で所定の周波数上のセルを選択する過程を開始する段階を含むことを特徴とする請求項１に記載の無線通信システムにおける移動端末のセル選択方法。
【請求項９】
前記周波数層収束方式の利用を一時停止する段階は、タイマーが満了するまで続くことを特徴とする請求項１に記載の無線通信システムにおける移動端末のセル選択方法。
【請求項１０】
前記タイマーは、前記周波数層収束方式が最初に一時停止されたときに起動することを特徴とする請求項９に記載の無線通信システムにおける移動端末のセル選択方法。
【請求項１１】
前記タイマーは、前記ＰＲＡＣＨアクセス過程を含むネットワークで開始された過程が失敗した場合に起動することを特徴とする請求項９に記載の無線通信システムにおける移動端末のセル選択方法。
【請求項１２】
前記タイマーは、データをネットワークに伝送するためのＭＡＣ過程を含むネットワークで開始された過程が失敗した場合に起動することを特徴とする請求項９に記載の無線通信システムにおける移動端末のセル選択方法。
【請求項１３】
前記タイマーは、ネットワークから受信された順序で所定の周波数上のセルを選択する過程を含むネットワークで開始された過程が失敗した場合に起動することを特徴とする請求項９に記載の無線通信システムにおける移動端末のセル選択方法。
【請求項１４】
前記タイマーの持続期間の値は、ネットワークからのシステム情報メッセージで受信されることを特徴とする請求項９に記載の無線通信システムにおける移動端末のセル選択方法。
【請求項１５】
前記タイマーの持続期間の値は、固定値であることを特徴とする請求項９に記載の無線通信システムにおける移動端末のセル選択方法。
【請求項１６】
前記選好周波数ではない周波数上のセルを選択する段階をさらに含むことを特徴とする請求項１に記載の無線通信システムにおける移動端末のセル選択方法。
【請求項１７】
ネットワークでの過程を開始する段階と、
前記ネットワークで開始された前記過程が終了するまで前記周波数層収束方式の利用の一時停止を継続する段階とをさらに含むことを特徴とする請求項１に記載の無線通信システムにおける移動端末のセル選択方法。
【請求項１８】
ネットワークでの過程を開始する段階と、
前記ネットワークで開始された前記過程が終了したときにコアネットワーク（ＣＮ）ドメインとの接続を解除する段階とをさらに含むことを特徴とする請求項１に記載の無線通信システムにおける移動端末のセル選択方法。
【請求項１９】
選好周波数を有する１対多サービスに参加するための手段と、
セルを選択するために、前記選好周波数上のセルの選択を有利にする周波数層収束方式を用いるための手段と、
トリガー発生時に前記周波数層収束方式の利用を一時停止させるための手段とを含むことを特徴とする無線通信システムにおけるセル選択のための移動端末。
【請求項２０】
前記１対多サービスは、ＭＢＭＳサービスであることを特徴とする請求項１９に記載の無線通信システムにおけるセル選択のための移動端末。
【請求項２１】
前記周波数層収束方式の利用を一時停止させるトリガーは、前記周波数層収束方式の利用中に失敗したネットワークでの過程に基づくことを特徴とする請求項１９に記載の無線通信システムにおけるセル選択のための移動端末。
【請求項２２】
前記過程は、コアネットワーク（ＣＮ）ドメインとの接続を設定する段階を含むことを特徴とする請求項２１に記載の無線通信システムにおけるセル選択のための移動端末。
【請求項２３】
前記ＣＮドメインは、パケット交換（ＰＳ）ドメイン及び回路交換（ＣＳ）ドメインの少なくとも１つであることを特徴とする請求項２２に記載の無線通信システムにおけるセル選択のための移動端末。
【請求項２４】
前記過程は、
ＰＲＡＣＨアクセス過程と、
ネットワークに情報を伝送するための無線リソース制御（ＲＲＣ）過程と、
ネットワークにデータを伝送するための媒体アクセス制御（ＭＡＣ）過程と、
ネットワークから受信された順序で所定の周波数上のセルを選択する過程とのうち少なくとも１つを含むことを特徴とする請求項２１に記載の無線通信システムにおけるセル選択のための移動端末。
【請求項２５】
前記周波数層収束方式の利用を一時停止させるトリガーは、再構成過程を開始するためのメッセージを受信する段階を含むことを特徴とする請求項１９に記載の無線通信システムにおけるセル選択のための移動端末。
【請求項２６】
前記周波数層収束方式の利用を一時停止させるトリガーは、ネットワークから受信された順序で所定の周波数上のセルを選択する過程を開始する段階を含むことを特徴とする請求項１９に記載の無線通信システムにおけるセル選択のための移動端末。
【請求項２７】
前記周波数層収束方式の利用を一時停止させる段階は、タイマーが満了するまで続くことを特徴とする請求項１９に記載の無線通信システムにおけるセル選択のための移動端末。
【請求項２８】
前記タイマーは、前記周波数層収束方式が最初に一時停止されたときに起動することを特徴とする請求項２７に記載の無線通信システムにおけるセル選択のための移動端末。
【請求項２９】
前記タイマーは、前記ＰＲＡＣＨアクセス過程を含むネットワークで開始された過程が失敗した場合に起動することを特徴とする請求項２７に記載の無線通信システムにおけるセル選択のための移動端末。
【請求項３０】
前記タイマーは、データをネットワークに伝送するためのＭＡＣ過程を含むネットワークで開始された過程が失敗した場合に起動することを特徴とする請求項２７に記載の無線通信システムにおけるセル選択のための移動端末。
【請求項３１】
前記タイマーは、ネットワークから受信された順序で所定の周波数上のセルを選択する過程を含むネットワークで開始された過程が失敗した場合に起動することを特徴とする請求項２７に記載の無線通信システムにおけるセル選択のための移動端末。
【請求項３２】
前記タイマーの持続期間の値は、ネットワークからのシステム情報メッセージで受信されることを特徴とする請求項２７に記載の無線通信システムにおけるセル選択のための移動端末。
【請求項３３】
前記タイマーの持続期間の値は、固定値であることを特徴とする請求項２７に記載の無線通信システムにおけるセル選択のための移動端末。
【請求項３４】
前記選好周波数ではない周波数上のセルを選択するための手段をさらに含むことを特徴とする請求項１９に記載の無線通信システムにおけるセル選択のための移動端末。
【請求項３５】
ネットワークでの過程を開始するための手段と、
ネットワークで開始された前記過程が終了するまで前記周波数層収束方式の利用を持続的に一時停止させるための手段とをさらに含むことを特徴とする請求項１９に記載の無線通信システムにおけるセル選択のための移動端末。
【請求項３６】
ネットワークでの過程を開始するための手段と、
前記ネットワークで開始された前記過程が終了したときにコアネットワークドメインとの接続を解除するための手段とをさらに含むことを特徴とする請求項１９に記載の無線通信システムにおけるセル選択のための移動端末。
【発明の詳細な説明】
【技術分野】
【０００１】
本発明は、無線通信システムにおけるセル選択に関し、より詳しくは、参加している１対多サービスの選好周波数上でのセル選択を有利にする周波数層収束方式（ｆｒｅｑｕｅｎｃｙ  ｌａｙｅｒ  ｃｏｎｖｅｒｇｅｎｃｅ  ｓｃｈｅｍｅ）の利用を一時停止させる方法に関する。
【背景技術】
【０００２】
最近、無線通信システムが飛躍的に発展してきているが、大容量のデータ通信サービスにおいて、無線通信システムは、有線通信システムにより提供されるほどの性能を提供するまでには至っていない。従って、世界各国は、大量のデータ通信を可能にする通信システム、ＩＭＴ−２０００の技術開発を推進しており、その技術の標準化のために、互いに協力している。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。
【０００４】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成し、現在もＵＭＴＳの詳細な標準仕様（Ｓｐｅｃｉｆｉｃａｔｉｏｎ）を作成中である。
【０００５】
３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。
【０００６】
各ＴＳＧは、関連したエリア内で標準規格の開発、承認、及びその管理を担当するが、そのうち、無線接続ネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線接続ネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【０００７】
図１は、従来のＵＭＴＳネットワーク１の構造を示す図であり、図１を参照すると、前記ＵＭＴＳは、端末（又は、ユーザ装置（ＵＥ））１０と、ＵＴＲＡＮ１００と、コアネットワーク（ＣＮ）２００とから構成される。
【０００８】
前記ＵＴＲＡＮ１００は、１つ以上の無線ネットワークサブシステム（Ｒａｄｉｏ  Ｎｅｔｗｏｒｋ  Ｓｕｂｓｙｓｔｅｍｓ：ＲＮＳ）１１０、１２０から構成される。各ＲＮＳ１１０、１２０は、無線ネットワーク制御装置（Ｒａｄｉｏ  Ｎｅｔｗｏｒｋ  Ｃｏｎｔｒｏｌｌｅｒ：ＲＮＣ）１１１並びに前記ＲＮＣ１１１により管理される複数の基地局もしくはＮｏｄｅ  Ｂ１１２、１１３を含む。前記ＲＮＣ１１１は、無線リソースの割り当て及び管理を担当し、前記コアネットワーク２００とのアクセスポイントの役割を果たす。
【０００９】
各Ｎｏｄｅ  Ｂ１１２、１１３は、アップリンクを介して端末の物理層により伝送された情報を受信し、ダウンリンクを介して前記端末にデータを転送する。各Ｎｏｄｅ  Ｂ１１２、１１３は、端末のためのＵＴＲＡＮのアクセスポイントの役割を果たす。
【００１０】
前記ＵＴＲＡＮ１００の主要機能は、前記端末とコアネットワーク２００間の通信のために無線接続ベアラ（Ｒａｄｉｏ  Ａｃｃｅｓｓ  Ｂｅａｒｅｒ：ＲＡＢ）を構成して維持することである。前記コアネットワーク２００は、エンドツーエンド（ｅｎｄ−ｔｏ−ｅｎｄ）サービス品質（Ｑｕａｌｉｔｙ  ｏｆ  Ｓｅｒｖｉｃｅ：  ＱｏＳ）要求事項をＲＡＢに提供し、該当ＲＡＢは、コアネットワーク２００が設定したＱｏＳ要求事項をサポートする。従って、前記ＵＴＲＡＮ１００は、ＲＡＢを構成して維持することにより、エンドツーエンドＱｏＳ要求事項を充足させることができる。前記ＲＡＢサービスは、Ｉｕベアラサービスと無線ベアラサービスにさらに分類される。前記Ｉｕベアラサービスは、前記ＵＴＲＡＮ１００の境界ノードとコアネットワーク２００との間における使用者データの信頼できる伝送をサポートする。
【００１１】
前記コアネットワーク２００は、互いに接続されて回線交換（Ｃｉｒｃｕｉｔ  Ｓｗｉｔｃｈｅｄ：ＣＳ）サービスをサポートする移動交換局（Ｍｏｂｉｌｅ  Ｓｗｉｔｃｈｉｎｇ  Ｃｅｎｔｅｒ：ＭＳＣ）２１０及びゲートウェイ移動交換局（ＧＭＳＣ）２２０、並びに互いに接続されてパケット交換（Ｐａｃｋｅｔ  Ｓｗｉｔｃｈｅｄ：ＰＳ）サービスをサポートするサービングＧＰＲＳサポートノード（ＳＧＳＮ）２３０及びゲートウェイＧＰＲＳサポートノード２４０を備える。
【００１２】
特定端末に提供されるサービスは、回線交換（ＣＳ）サービスとパケット交換（ＰＳ）サービスとに大別される。例えば、一般的な音声電話サービスは回線交換サービスであり、インターネット接続によるウェブブラウジングサービスはパケット交換サービスに分類される。
【００１３】
前記ＣＳサービスをサポートする場合、前記ＲＮＣ１１１は、前記コアネットワーク２００のＭＳＣ２１０に接続され、前記ＭＳＣ２１０は、他のネットワークとの接続を管理するＧＭＳＣ２２０に接続される。
【００１４】
前記ＰＳサービスをサポートする場合、前記ＲＮＣ１１１は、前記コアネットワーク２００のＳＧＳＮ２３０及びＧＧＳＮ２４０に接続される。前記ＳＧＳＮ２３０は、前記ＲＮＣ１１１へのパケット通信をサポートし、前記ＧＧＳＮ２４０は、インターネットのような他のパケット交換ネットワークとの接続を管理する。
【００１５】
ネットワーク構成要素間には多様なタイプのインタフェースが存在し、相互通信時に前記ネットワーク構成要素間の情報の送受信を可能にする。前記ＲＮＣ１１１とコアネットワーク２００間のインタフェースはＩｕインタフェースと定義される。特に、パケット交換システムの場合、前記ＲＮＣ１１１とコアネットワーク２００間のＩｕインタフェースを「Ｉｕ−ＰＳ」と定義し、回線交換システムの場合、前記ＲＮＣ１１１とコアネットワーク２００間のＩｕインタフェースを「Ｉｕ−ＣＳ」と定義する。
【００１６】
図２は、３ＧＰＰ無線接続ネットワーク標準に準拠した端末とＵＴＲＡＮ間の無線インタフェースプロトコルの構造を示す。
【００１７】
図２に示すように、前記無線インタフェースプロトコルは、水平的には物理層と、データリンク層と、ネットワーク層とから構成され、垂直的にはユーザーデータの転送のためのユーザプレーン（Ｕｓｅｒ  Ｐｌａｎｅ：  Ｕ−ｐｌａｎｅ）と、制御情報の転送のための制御プレーン（Ｃｏｎｔｒｏｌ  Ｐｌａｎｅ：  Ｃ−ｐｌａｎｅ）とから構成される。
【００１８】
前記ユーザプレーンは、音声やＩＰパケットのようなユーザーのトラヒック情報を取り扱う領域であり、前記制御プレーンは、ネットワークのインタフェース、呼の維持及び管理などに関する制御情報を取り扱う領域である。
【００１９】
図２のプロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層Ｌ１、第２層Ｌ２、第３層Ｌ３に区分される。以下、各層を詳細に説明する。
【００２０】
第１層Ｌ１、すなわち、物理層は、多様な無線伝送技術を利用して上位層に情報転送サービス（Ｉｎｆｏｒｍａｔｉｏｎ  Ｔｒａｎｓｆｅｒ  Ｓｅｒｖｉｃｅ）を提供し、上位層である媒体アクセス制御（Ｍｅｄｉａ  Ａｃｃｅｓｓ  Ｃｏｎｔｒｏｌ：  ＭＡＣ）層にトランスポートチャネル（Ｔｒａｎｓｐｏｒｔ  Ｃｈａｎｎｅｌ）で接続される。前記トランスポートチャネルで前記ＭＡＣ層と物理層との間にデータが送受信される。
【００２１】
第２層Ｌ２は、ＭＡＣ層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。
【００２２】
前記ＭＡＣ層は、無線リソースの割り当て及び再割り当てのためのＭＡＣパラメータの割り当てを提供し、上位層であるＲＬＣ層と論理チャネルで接続される。
【００２３】
転送情報の種類によって多様な論理チャネルが提供される。一般に、制御プレーンの情報を転送する場合は制御チャネルが利用され、ユーザプレーンの情報を転送する場合はトラヒックチャネルが利用される。論理チャネルは、その論理チャネルを共有しているか否かによって共通チャネル（Ｃｏｍｍｏｎ  Ｃｈａｎｎｅｌ）又は専用チャネル（Ｄｅｄｉｃａｔｅｄ  Ｃｈａｎｎｅｌ）になる。前記論理チャネルは、専用トラヒックチャネル（Ｄｅｄｉｃａｔｅｄ  Ｔｒａｆｆｉｃ  Ｃｈａｎｎｅｌ：  ＤＴＣＨ）、専用制御チャネル（Ｄｅｄｉｃａｔｅｄ  Ｃｏｎｔｒｏｌ  Ｃｈａｎｎｅｌ：  ＤＣＣＨ）、共通トラヒックチャネル（Ｃｏｍｍｏｎ  Ｔｒａｆｆｉｃ  Ｃｈａｎｎｅｌ：  ＣＴＣＨ）、共通制御チャネル（Ｃｏｍｍｏｎ  Ｃｏｎｔｒｏｌ  Ｃｈａｎｎｅｌ：  ＣＣＣＨ）、ブロードキャスト制御チャネル（Ｂｒｏａｄｃａｓｔ  Ｃｏｎｔｒｏｌ  Ｃｈａｎｎｅｌ：  ＢＣＣＨ）、並びにページング制御チャネル（Ｐａｇｉｎｇ  Ｃｏｎｔｒｏｌ  Ｃｈａｎｎｅｌ：  ＰＣＣＨ）もしくはＳＨＣＣＨ（Ｓｈａｒｅｄ  Ｃｈａｎｎｅｌ  Ｃｏｎｔｒｏｌ  Ｃｈａｎｎｅｌ）を含む。前記ＢＣＣＨは、システムにアクセスするために、端末が活用する情報を含む情報を提供する。前記ＰＣＣＨは、端末にアクセスするためにＵＴＲＡＮによって使用される。
【００２４】
ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）（又は、ＭＢＭＳサービス）とは、１対多（Ｐｏｉｎｔ−ｔｏ−ｍｕｌｔｉｐｏｉｎｔ）無線ベアラ及び１対１（Ｐｏｉｎｔ−ｔｏ−ｐｏｉｎｔ）無線ベアラの少なくとも１つを活用するダウンリンク専用ＭＢＭＳ無線ベアラを利用して複数のＵＥにストリーミング又はバックグラウンドサービスを提供する方法をいう。１つのＭＢＭＳサービスは、１つ以上のセッションを含み、ＭＢＭＳデータは、セッション中にのみＭＢＭＳ無線ベアラを介して複数の端末に伝送される。
【００２５】
ＭＢＭＳは、その名称から分かるように、ブロードキャストモード又はマルチキャストモードで行われる。前記ブロードキャストモードは、ブロードキャスト領域、例えば、ブロードキャストサービスが有効なドメイン内でマルチメディアデータを全てのＵＥに送信するためのモードである。前記マルチキャストモードは、マルチキャスト領域、例えば、マルチキャストサービスが有効なドメイン内でマルチメディアデータを特定ＵＥグループに伝送するためのモードである。
【００２６】
ＭＢＭＳの目的のために、トラヒック及び制御チャネルがさらに存在する。例えば、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を使用してＭＢＭＳ制御情報を伝送し、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）を使用してＭＢＭＳサービスデータを伝送する。
【００２７】
異なる論理チャネルのリストを下記のように示すことができる。
【００２８】
制御チャネル（ＣＣＨ）−  ＢＣＣＨ（Ｂｒｏａｄｃａｓｔ  Ｃｏｎｔｒｏｌ  Ｃｈａｎｎｅｌ）
−  ＰＣＣＨ（Ｐａｇｉｎｇ  Ｃｏｎｔｒｏｌ  Ｃｈａｎｎｅｌ）
−  ＤＣＣＨ（Ｄｅｄｉｃａｔｅｄ  Ｃｏｎｔｒｏｌ  Ｃｈａｎｎｅｌ）
−  ＣＣＣＨ（Ｃｏｍｍｏｎ  Ｃｏｎｔｒｏｌ  Ｃｈａｎｎｅｌ）
−  ＳＨＣＣＨ（Ｓｈａｒｅｄ  Ｃｈａｎｎｅｌ  Ｃｏｎｔｒｏｌ  Ｃｈａｎｎｅｌ）
−  ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）
トラヒックチャネル（ＴＣＨ）−  ＤＴＣＨ（Ｄｅｄｉｃａｔｅｄ  Ｔｒａｆｆｉｃ  Ｃｈａｎｎｅｌ）
−  ＣＴＣＨ（Ｃｏｍｍｏｎ  Ｔｒａｆｆｉｃ  Ｃｈａｎｎｅｌ）  
−  ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）
前記ＭＡＣ層は、トランスポートチャネルにより物理層と接続され、管理するトランスポートチャネルの種類によってＭＡＣ−ｂサブレイヤ、ＭＡＣ−ｄサブレイヤ、ＭＡＣ−ｃ／ｓｈサブレイヤ、ＭＡＣ−ｈｓサブレイヤに区分される。
【００２９】
前記ＭＡＣ−ｂサブレイヤは、システム情報のブロードキャストを担当するトランスポートチャネルであるブロードキャストチャネル（Ｂｒｏａｄｃａｓｔ  Ｃｈａｎｎｅｌ：  ＢＣＨ）を管理する。前記ＭＡＣ−ｄサブレイヤは、特定端末機のための専用トランスポートチャネルである専用チャネル（Ｄｅｄｉｃａｔｅｄ  Ｃｈａｎｎｅｌ：  ＤＣＨ）を管理する。従って、ＵＴＲＡＮのＭＡＣ−ｄサブレイヤは、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄサブレイヤが各端末内に存在する。
【００３０】
前記ＭＡＣ−ｃ／ｓｈサブレイヤは、複数の端末機と共有するフォワードアクセスチャネル（Ｆｏｒｗａｒｄ  Ａｃｃｅｓｓ  Ｃｈａｎｎｅｌ：  ＦＡＣＨ）もしくはダウンリンク共有チャネル（Ｄｏｗｎｌｉｎｋ  Ｓｈａｒｅｄ  Ｃｈａｎｎｅｌ：  ＤＳＣＨ）のような共通トランスポートチャネル、又はアップリンクでＲＡＣＨ（Ｒａｄｉｏ  Ａｃｃｅｓｓ  Ｃｈａｎｎｅｌ）を管理する。ＵＴＲＡＮにおいて、前記ＭＡＣ−ｃ／ｓｈサブレイヤは、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）内に位置する。前記ＭＡＣ−ｃ／ｓｈサブレイヤがセル領域内の全ての端末が共有しているチャネルを管理するので、各セル領域内には１つのＭＡＣ−ｃ／ｓｈサブレイヤが存在する。また、１つのＭＡＣ−ｃ／ｓｈサブレイヤは、各端末（ＵＥ）にも存在する。図３は、ＵＥの観点から論理チャネルとトランスポートチャネル間の可能なマッピングを示し、図４は、ＵＴＲＡＮの観点から論理チャネルとトランスポートチャネル間の可能なマッピングを示す。
【００３１】
前記ＲＬＣ層は、信頼性のあるデータの伝送をサポートし、上位層から伝送された複数のＲＬＣサービスデータユニット（Ｓｅｒｖｉｃｅ  Ｄａｔａ  Ｕｎｉｔ：ＳＤＵ）の分割及び連結機能を果たす。上位層から前記ＲＬＣ  ＳＤＵを受信すると、前記ＲＬＣ層は、処理容量に応じた適切な方法によってそれぞれのＲＬＣ  ＳＤＵのサイズを調節した後、ヘッダ情報を加えて所定のデータユニットを生成する。前記生成されたデータユニットは、プロトコルデータユニット（Ｐｒｏｔｏｃｏｌ  Ｄａｔａ  Ｕｎｉｔ：ＰＤＵ）と呼ばれ、論理チャネルで前記ＭＡＣ層に伝送される。前記ＲＬＣ層は、前記ＲＬＣ  ＳＤＵ及び／又はＲＬＣ  ＰＤＵを保存するためのＲＬＣバッファを含む。
【００３２】
ＢＭＣ層は、前記コアネットワークから受信されたセルブロードキャスト（Ｃｅｌｌ  Ｂｒｏａｄｃａｓｔ：  ＣＢ）メッセージをスケジューリングし、前記ＣＢメッセージを特定セルに位置するＵＥにブロードキャストする。ＵＴＲＡＮのＢＭＣ層は、上位層から受信されたＣＢメッセージに、メッセージＩＤ、シリアルナンバー、符号化方式（ｃｏｄｉｎｇ  ｓｃｈｅｍｅ）などの情報を加えてＢＭＣメッセージを形成した後、ＲＬＣ層に伝送する。前記ＢＭＣメッセージは、論理チャネルであるＣＴＣＨ（Ｃｏｍｍｏｎ  ｔｒａｆｆｉｃ  ｃｈａｎｎｅｌ）でＲＬＣ層からＭＡＣ層に伝送される。前記ＣＴＣＨは、トランスポートチャネルであるＦＡＣＨにマッピングされ、前記ＦＡＣＨは、物理チャネルであるＳ−ＣＣＰＣＨ（Ｓｅｃｏｎｄａｒｙ  ｃｏｍｍｏｎ  ｃｏｎｔｒｏｌ  ｐｈｙｓｉｃａｌ  ｃｈａｎｎｅｌ）にマッピングされる。
【００３３】
ＲＬＣ層の上位であるパケットデータコンバージェンスプロトコル（ＰＤＣＰ）層は、ＩＰｖ４やＩＰｖ６のようなネットワークプロトコルで伝送されるデータを相対的に狭い帯域幅を有する無線インタフェース上で効率的に伝送するために使用される。このために、前記ＰＤＣＰ層は、有線ネットワークにおいて使用される不必要な制御情報を減らす機能を果たし、この機能をヘッダ圧縮と言う。
【００３４】
無線リソース制御（Ｒａｄｉｏ  Ｒｅｓｏｕｒｃｅ  Ｃｏｎｔｒｏｌ：ＲＲＣ）層は、第３層Ｌ３の最下部に位置し、制御プレーンにおいてのみ定義される。前記ＲＲＣ層は、無線ベアラ（Ｒａｄｉｏ  Ｂｅａｒｅｒ：  ＲＢ）の設定、再設定、及び解除に関連して論理チャネル、トランスポートチャネル及び物理チャネルの制御を担当する。前記無線ベアラサービスは、端末とＵＴＲＡＮ間のデータ伝送のために第２層Ｌ２により提供されるサービスである。一般に、無線ベアラの設定とは、特定データサービスの提供のために必要なプロトコル層とチャネルの特性を規定し、それぞれの具体的なパラメータ及び動作方法を設定する過程を意味する。
【００３５】
ＲＬＣ層は、上位に接続した層のタイプによってユーザプレーン又は制御プレーンに属する。すなわち、ＲＬＣ層がＲＲＣ層からデータを受信すると、前記ＲＬＣ層は制御プレーンに属し、他の場合にはユーザプレーンに属する。
【００３６】
無線ベアラとトランスポートチャネル間のマッピングが異なる可能性が常に成立するわけではない。ＵＥ／ＵＴＲＡＮは、ＵＥの状態やＵＥ／ＵＴＲＡＮが現在行っている過程によって可能なマッピングを推論する。異なる状態やモードについての説明は、次の通りである。
【００３７】
異なるトランスポートチャネルは、異なる物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングできる。物理チャネルの構成は、ＲＮＣとＵＥ間のＲＲＣシグナリング交換により行われる。
【００３８】
ＲＲＣモードは、端末のＲＲＣとＵＴＲＡＮのＲＲＣ間に論理接続が存在するか否かを示す。接続が存在すると、前記端末はＲＲＣ接続モードにあるという。接続が存在しないと、前記端末はアイドルモードにあるという。ＲＲＣ接続モードにある端末に対してＲＲＣ接続が存在するため、ＵＴＲＡＮは、セルユニット内の特定端末が存在するか否か、例えば、ＲＲＣ接続モードの端末がどのセル又はセルの集合にあるか、及びどの物理チャネルをＵＥが観察しているかを判断できる。このように、端末を効果的に制御できる。
【００３９】
これに対して、ＵＴＲＡＮは、アイドルモードにある端末の有無を判断できない。アイドルモードにある端末の有無はコアネットワークによってのみ判断される。特に、前記コアネットワークは、ロケーションやルーティング領域のようにセルより大きい地域内にアイドルモードの端末が存在するか否かのみを検出できる。従って、アイドルモード端末の有無は、大きい地域内で判断される。音声やデータなどの無線通信サービスを受けるために、アイドルモードの端末は、ＲＲＣ接続モードに移行又は変更しなければならない。モードと状態間の可能な変化については、図５に示す。
【００４０】
ＲＲＣ接続モードにあるＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態などの他の状態にあることができる。前記状態により、ＵＥは、他のチャネルを観察することができる。例えば、ＣＥＬＬ＿ＤＣＨ状態の端末は、（多様なチャネルのうち）ＤＴＣＨ及びＤＣＣＨトランスポートチャネルを含み、特定ＤＰＣＨにマッピングできるＤＣＨタイプのトランスポートチャネルを観察する。ＣＥＬＬ＿ＦＡＣＨ状態にあるＵＥは、特定Ｓ−ＣＣＰＣＨ物理チャネルにマッピングされる複数のＦＡＣＨトランスポートチャネルを観察する。ＰＣＨ状態にあるＵＥは、特定Ｓ−ＣＣＰＣＨ物理チャネルにマッピングされるＰＩＣＨチャネル及びＰＣＨチャネルを観察する。
【００４１】
さらに、前記ＵＥは、状態によって異なる役割を果たす。例えば、異なる条件により、ＣＥＬＬ＿ＦＡＣＨ状態にあるＵＥは、ＵＥがあるセルの適用範囲から他のセルの適用範囲に移動する度にＣＥＬＬアップデート過程を開始する。前記ＵＥは、Ｎｏｄｅ  ＢにＣｅｌｌ  Ｕｐｄａｔｅメッセージを送信してＵＥの位置変更を通知することにより、前記ＣＥＬＬアップデート過程を開始する。次に、前記ＵＥは、ＦＡＣＨの観察を開始する。この過程は、前記ＵＥが他の状態からＣＥＬＬ＿ＦＡＣＨ状態に移行して有効なＣ−ＲＮＴＩを有しない場合、例えば、前記ＵＥがＣＥＬＬ＿ＰＣＨ状態又はＣＥＬＬ＿ＤＣＨ状態から移行したり、ＣＥＬＬ＿ＦＡＣＨ状態のＵＥが適用範囲を外れた場合、さらに行われる。
【００４２】
前記ＣＥＬＬ＿ＤＣＨ状態において、前記ＵＥは、専用無線リソースが与えられ、共有無線リソースも利用する。これにより、ＵＥは、高いデータ伝送速度を有し、効率的にデータを交換できる。しかしながら、前記無線リソースは制限されているため、ＵＴＲＡＮは、それらを効率的に利用し、異なるＵＥが必要なサービス品質を得ることができるように、ＵＥ間に無線リソースを割り当てる。
【００４３】
ＣＥＬＬ＿ＦＡＣＨ状態のＵＥは、割り当てられた専用無線リソースを有していないため、共有チャネルでのみＵＴＲＡＮと通信できる。従って、前記ＵＥは、無線リソースをほとんど消費しない。しかしながら、有効データ伝送速度は制限されている。また、ＵＥは、前記共有チャネルをさらにモニターしなければならない。その結果、ＵＥが伝送を行っていない場合にＵＥのバッテリ消費が増加する。
【００４４】
ＣＥＬＬ＿ＰＣＨ／ＵＲＡ＿ＰＣＨ状態のＵＥは、専用状況でのみページングチャネルをモニターし、バッテリ消費を最小化する。しかしながら、ネットワークがＵＥに接続しようとする場合、前記ページング状況時、このような要求をまず通知しなければならない。その後、ＵＥが前記ページングに応答した場合にのみ、前記ネットワークはＵＥに接続できる。また、前記ＵＥは、ＵＴＲＡＮにデータを伝送しようとする場合、追加的な遅延を通知するＣｅｌｌ  Ｕｐｄａｔｅ過程を行った後にのみ、ネットワークに接続できる。
【００４５】
主なシステム情報がＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）にマッピングされるＢＣＣＨ論理チャネルで伝送される。特定システム情報ブロックは、ＦＡＣＨチャネルで伝送される。前記システム情報をＦＡＣＨで伝送すると、前記ＵＥは、前記Ｐ−ＣＣＰＣＨで受信されたＢＣＣＨ又は専用チャネルで前記ＦＡＣＨの構成を受信する。前記Ｐ−ＣＣＰＣＨは、Ｐ−ＣＰＩＣＨ（Ｐｒｉｍａｒｙ  Ｃｏｍｍｏｎ  Ｐｉｌｏｔ  Ｃｈａｎｎｅｌ）と同一のスクランブリングコード（プライマリスクランブリングコード）を利用して伝送される。
【００４６】
各チャネルは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおいて一般的に利用される拡散コードを利用する。各コードは、前記コードの長さに該当する拡散率（Ｓｐｒｅａｄｉｎｇ  Ｆａｃｔｏｒ：ＳＦ）により特徴付けられる。所定拡散率の場合、直交コードの個数は、前記コードの長さと一致する。各拡散率の場合、ＵＭＴＳシステムに記述されたように、直交コードセットに０〜ＳＦ−１までの番号が与えられる。各コードは、コードの長さ（すなわち、拡散率）とコードに与えられた番号を提示することにより識別される。前記Ｐ−ＣＣＰＣＨが使用する拡散コードは、常に固定された拡散率２５６を有し、その番号は１である。ＵＥは、ＵＥが既に判読した隣接セルのシステム情報に関してネットワークから伝送された情報により、又はＤＣＣＨチャネルで受信したメッセージにより、又は固定されたＳＦ２５６及び拡散コード番号０を利用して伝送され、固定されたパターンを伝送するＰ−ＣＰＩＣＨを調べることにより、前記プライマリスクランブリングコードが分かる。
【００４７】
前記システム情報には、隣接セル、ＲＡＣＨ及びＦＡＣＨトランスポートチャネルの構成、並びにＭＢＭＳサービスのための専用チャネルのＭＣＣＨの構成に関する情報が含まれる。ＵＥが（ＣＥＬＬ＿ＦＡＣＨ、ＣＥＬＬ＿ＰＣＨ、又はＵＲＡ＿ＰＣＨ状態の）あるセルを選択した後、有効なシステム情報を有しているか否かを検証する。
【００４８】
前記システム情報は、ＳＩＢｓ（Ｓｙｓｔｅｍ  Ｉｎｆｏｒｍａｔｉｏｎ  Ｂｌｏｃｋｓ）、ＭＩＢ（Ｍａｓｔｅｒ  Ｉｎｆｏｒｍａｔｉｏｎ  Ｂｌｏｃｋ）、及びスケジューリングブロックから構成される。前記ＭＩＢは、非常に頻繁に伝送され、スケジューリングブロックと異なるＳＩＢのタイミング情報を提供する。バリュータグ（ｖａｌｕｅ  ｔａｇ）に関連したＳＩＢの場合、前記ＭＩＢは、さらに一部のＳＩＢの最近バージョンに関する情報を含む。バリュータグに関連していないＳＩＢは、期限タイマーに関連している。期限タイマーに関連したＳＩＢは有効でなくなるため、前記ＳＩＢの最近判読時間が期限タイマー値より大きい場合、再判読される必要がある。バリュータグに関連したＳＩＢは、ＭＩＢにおいてブロードキャストされたバリュータグと同一のバリュータグを有する場合にのみ有効である。各ブロックは、Ｃｅｌｌ、ＰＬＭＮ（Ｐｕｂｌｉｃ  Ｌａｎｄ  Ｍｏｂｉｌｅ  Ｎｅｔｗｏｒｋ）、又は等価ＰＬＭＮなどの、前記ＳＩＢがどのセルにおいて有効であるかを示す有効エリアスコープを有する。エリアスコープ「Ｃｅｌｌ」を有するＳＩＢは、ＳＩＢが判読されたセルに対してのみ有効である。エリアスコープ「ＰＬＭＮ」を有するＳＩＢは、全てのＰＬＭＮにおいて有効であり、エリアスコープ「等価ＰＬＭＮ」を有するＳＩＢは、全てのＰＬＭＮ及び等価ＰＬＭＮにおいて有効である。
【００４９】
３ＧＰＰ標準によると、ＣＥＬＬ＿ＰＣＨ、ＵＲＡ＿ＰＣＨ、ＣＥＬＬ＿ＦＡＣＨ状態、又はアイドルモードのＵＥは、持続的に（非緊急呼び出し（ｎｏｎ−ｅｍｅｒｇｅｎｃｙ  ｃａｌｌ）の場合）適したセル、又は（緊急呼び出し（ｅｍｅｒｇｅｎｃｙ  ｃａｌｌ）の場合）許容可能なセルを選択／再選択しなければならない。アイドルモードにおいて、ＵＥがセルを選択すると、前記ＵＥは、一般的に前記セルに「位置（ｃａｍｐｉｎｇ）」していると言われる。ＲＲＣ接続モードにおいて、前記ＵＥがＣＥＬＬ＿ＰＣＨ、ＵＲＡ＿ＰＣＨ、又はＣＥＬＬ＿ＦＡＣＨ状態にある場合、前記ＵＥは、単純にセルを「選択（ｓｅｌｅｃｔｅｄ）」したと言われる。
【００５０】
前記セル再選択を容易にするために、ネットワークは、システム情報に隣接セルのリストを伝送する。前記隣接セルリストにより、前記ＵＥはＵＥが現在選択したセル又はＵＥが位置しているセルを測定し、前記測定されたセルと比較しなければならない有効セルを識別する。前記有効セルは、同一の周波数上にあるか、他の周波数又はＧＳＭのようなの他の無線アクセス技術（Ｒａｄｉｏ  Ａｃｃｅｓｓ  Ｔｅｃｈｎｏｌｏｇｉｅｓ：ＲＡＴｓ）上にあることもある。前記セルのリスト及びＵＥが発見したｅｖｔｌ．セルは、前記セル再選択のための候補セルとして利用される。
【００５１】
前記セル選択／再選択過程の一部は、セル再選択のための候補セルである前記隣接セルリストの一部に該当する異なるセルの量（個数）の測定に基づく。セルは、階層的セル構造（Ｈｉｅｒａｒｃｈｉｃａｌ  Ｃｅｌｌ  Ｓｔｒｕｃｔｕｒｅ：ＨＣＳ）の一部でもよく、一部でなくてもよい。これは、所定セルのシステム情報に定義されている。前記ＨＣＳの一部である場合、各セルは、所定優先順位を有する。前記セルがＨＣＳの一部であるか否かにより、前記セル選択過程が変更される。
【００５２】
どの候補セルを再選択するかを決定するために、ＵＥは、隣接セルの量（個数）を測定する。ＵＥは、特定式により全ての候補セルの順位基準（ｒａｎｋｉｎｇ  ｃｒｉｔｅｒｉａ：Ｒ）を設定する。前記式は、ＣＰＩＣＨ／Ｐ−ＣＣＰＣＨ測定値及び候補セルのシステム情報内の情報に基づく。前記基準Ｒは、正の値及び負の値に該当する。前記Ｒ値は、次のように計算され、ここで、ＲＳはサービングセルのＲ値を意味し、ＲＮは、隣接セルのＲ値を意味する。
【００５３】
【数１】
2008503151.tif 000003
前記信号値Ｑｏｆｆｍｂｍｓは、ＭＢＭＳ選好周波数に属する（すなわち、周波数収束方式が適用できる）セル（サービングセル又は隣接セル）にのみ適用できる。Ｑｍｅａｓは、ＦＤＤセルに対する平均ＣＰＩＣＨ  Ｅｃ／ＮｏもしくはＣＰＩＣＨ  ＲＳＣＰから得られた受信信号、ＴＤＤセルに対する平均Ｐ−ＣＣＰＣＨ  ＲＳＣＰから得られた受信信号、並びにＧＳＭセルに対する平均受信信号レベルから得られた受信信号の品質値を付与する。ＦＤＤセルの場合、前記品質値を得るために使用される測定値はシステム情報に表示されている。
【００５４】
前記パラメータ（Ｑｈｙｓｔ、Ｑｏｆｆｓｅｔｓ，ｎ、Ｑｏｆｆｍｂｍｓ、ＴＥＭＰ＿ＯＦＦＳＥＴ、ＰＥＮＡＬＴＹ＿ＴＩＭＥ）は、システム情報上に表示されている。前記タイマーＴは、前記セルの無線品質によって各セル毎に起動及び停止される。
【００５５】
階層的セル構造（ＨＣＳ）を利用する場合、基準（Ｈ）が定義される。前記基準（Ｈ）は正又は負の値であり、前記システム情報により伝送された情報及び候補セルのＣＰＩＣＨ／Ｐ−ＣＰＣＣＨからの測定値に基づいて計算される。前記階層的セル構造において、セルは異なる優先順位を有する。前記基準（Ｈ）は、次の式に基づいて計算される。
【００５６】
【数２】
2008503151.tif 000004
ＴＯｎとＬｎ及びＱｍｅａｓ，ｓとＱｍｅａｓ，ｎは、前記定義と同様に定義される。移動性が高い使用者だけでなく、移動性が低い使用者を同一の地域内に含めることを目的としてこのようなセル構造を利用する。容量を最適化するために、小さいセルを選んでできるだけ多くのセルを収容することができる。これにより、所定地域内で使用者数が最大となる。
【００５７】
しかしながら、速く移動する使用者の場合、大きいセルを選んでＵＥの移動によるセル変化の数を減らすことができる。大きいセルと小さいセルを区別するために、異なる優先順位を各セルに割り当てる。ＵＥは、優先順位が高いセルを選択することが多いが、これは、一般的にＵＥが速く移動する場合を除いては、小さいサイズのセルに該当する。３ＧＰＰ標準では、前記基準Ｈを利用して優先順位を考慮する。しかしながら、ＵＥが非常に速く移動すると判断された場合（すなわち、ＵＥが頻繁にセルを再選択することを感知すると）、前記ＵＥは、前記基準Ｈの使用を停止し、セルの優先順位レベルを考慮しなくなる。ここで、ＵＥは、「移動性が高い状態」にあるという。
【００５８】
選択基準Ｓは、受信された候補セルの品質が充分であるか否かを確認する。このために、ＵＥは、（ＦＤＤセルのみのための）候補セルのＣＰＩＣＨのＥｃ／Ｎ０を示すＱｑｕａｌｍｅａｓを測定する。また、前記ＵＥはＱｒｘｌｅｖｍｅａｓを測定するが、Ｑｒｘｌｅｖｍｅａｓとは、ＦＤＤセルに対する候補セルのＣＰＩＣＨ及びＴＤＤセルに対する候補セルのＰ−ＣＣＰＣＨのＲＳＣＰ（Ｒｅｃｅｉｖｅｄ  Ｓｉｇｎａｌ  Ｃｏｄｅ  Ｐｏｗｅｒ）を求めることを意味する。前記ＵＥは、このような値を候補セルのシステム情報内の情報と共に所定アルゴリズムに利用してＳ値を求める。前記Ｓ値が０より大きい場合、前記セルの選択基準Ｓが実行される。それ以外の場合は、実行されない。
【００５９】
前述されたＲ、Ｈ、Ｓ基準以外に、他の基準によってもＵＥが選択したセルを判断できる。このような基準に関する情報は、システム情報でブロードキャストされる「セルアクセス制限」としてＵＥに提供される。
【００６０】
セルアクセス制限の１タイプとして、「禁止セル（ｂａｒｒｅｄ  ｃｅｌｌｓ）」がある。各ＵＥは、ＵＥに一種の優先順位を与える「アクセスクラス（ａｃｃｅｓｓ  ｃｌａｓｓ）」と呼ばれるパラメータを使用する。前記アクセスクラスは、０〜１５の範囲内に存在する。システム情報内のそれぞれのアクセスクラスによりセルが禁止されたセルであるか否かを示すことができる。また、セルは、一般的に禁止される。
【００６１】
セルアクセス制限のもう１つのタイプは、セルが「オペレータ使用のために予約された」場合である。システム情報によりセルがオペレータ使用のために予約されているか否かを示すことができる。ＵＥクラスがオペレータクラスであるか否か及びＵＥが緊急呼び出しであるか否かにより、前記ＵＥは、オペレータ使用のために予約されたセルを再選択できる。
【００６２】
また、セルへのアクセスは、「将来の拡張（ｆｕｔｕｒｅ  ｅｘｔｅｎｓｉｏｎ）のために予約」されるため、制限される。前記システム情報によりセルが将来の拡張のために予約されているかを示すことができる。
【００６３】
セルへのアクセスは、ＰＬＭＮにより制限できる。各セルは、１つ又は複数のＰＬＭＮに属している。ＵＥに電源が入ると、ＰＬＭＮを選択し、特定シグナリングにより前記選択されたＰＬＭＮを変更できる。ＵＥがセルを選択／再選択する場合、前記ＵＥは、前記選択されたＰＬＭＮが前記セルのＰＬＭＮに該当するか否かを確認する。ＵＥは、「等価ＰＬＭＮ」のリストを使用することができ、前記「等価ＰＬＭＮ」は、前記選択されたＰＬＭＮと同一のもののように扱われる。緊急呼び出しを試みていないＵＥは、前記選択されたＰＬＭＮや前記選択されたＰＬＭＮの等価ＰＬＭＮに属するセルのみを選択／再選択できる。
【００６４】
「周波数内セル再選択インジケータ」は、前記システム情報により伝送され、ＵＥが選択したセルが禁止された場合、前記ＵＥが同一の周波数上で他のセルを再選択できないようにする。
【００６５】
従って、前記「セルアクセス制限」特性は、ＵＥがセル選択／再選択のために考慮できる候補セルの数を制限する。図６は、セル再選択に対する決定過程を示す。
【００６６】
ＲＮＣの主な役割は、無線リソース管理（Ｒａｄｉｏ  Ｒｅｓｏｕｒｃｅ  Ｍａｎａｇｅｍｅｎｔ：ＲＲＭ）である。無線リソースの使用を最適化するために、ＵＭＴＳ標準では複数のパラメータを有する異なるＲＲＣ状態、トランスポートチャネル、及び物理チャネルを使用することができる。
【００６７】
ＲＲＭのための基本方法は、ＣＥＬＬ＿ＦＡＣＨ、ＣＥＬＬ＿ＤＣＨ、ＣＥＬＬ＿ＰＣＨ、及びＵＲＡ＿ＰＣＨ状態の間のＲＲＣ状態移行である。このような状態と共に、異なる周波数が通信に利用できる場合、前記ＲＮＣは、一般的に、所定周波数を利用してＵＥの数を制限できる。しかしながら、前述したように、ＣＥＬＬ＿ＦＡＣＨ、ＣＥＬＬ＿ＰＣＨ、及びＵＲＡ＿ＰＣＨ状態において、ＵＥは、測定値及び他の規則に基づいて、所定周波数内のセルから他の周波数内のセルへの変更を開始できる。前記変更は、一般測定及びセル選択／再選択規則、又は周波数層収束方式に基づく。
【００６８】
前記ＵＥがＣＥＬＬ＿ＤＣＨ状態から他の状態に移行すると、前記ＵＥは、位置するセルや接続するセルを選択する。一般的に、前記ＵＥは、ＲＮＣが情報要素（ｉｎｆｏｒｍａｔｉｏｎ  ｅｌｅｍｅｎｔ：ＩＥ）「周波数情報（ｆｒｅｑｕｅｎｃｙ  Ｉｎｆｏ）」内に選好周波数を表示する場合を除いて、全ての周波数上のセルを考慮する。このような場合、好ましくは、前記ＵＥは、選好周波数上に適したセルが存在する場合、前記選好周波数上のセルを選択する。
【００６９】
前記ＵＥがＣＥＬＬ＿ＦＡＣＨ状態にある場合、前記ＲＮＣは、前記ＩＥ「Ｆｒｅｑｕｅｎｃｙ  Ｉｎｆｏ」を含むメッセージをＵＥに送信することにより、ＵＥに異なる周波数を選好周波数として前記周波数上のセルを選択させる。この場合、前記ＵＥは、前記選好周波数上のセルを選択する。
【００７０】
３ＧＰＰシステムは、ＭＢＭＳを提供する。３ＧＰＰ  ＴＳＧ  ＳＡ（Ｓｅｒｖｉｃｅ  ａｎｄ  Ｓｙｓｔｅｍ  Ａｓｐｅｃｔ）は、ＭＢＭＳサービスを提供するために必要な多様なネットワーク要素及びそれらの機能を定義する。従来技術により提供されていたセルブロードキャストサービスはテキストタイプのショートメッセージを特定地域にブロードキャストするサービスに限定される。しかしながら、前記ＭＢＭＳサービスは該当サービスに加入している端末ＵＥにマルチメディアデータをブロードキャストするだけでなく、マルチメディアデータをマルチキャストすることができる、より進歩したサービスを意味する。
【００７１】
ＭＢＭＳサービスは、共通又は専用ダウンリンクチャネルを利用して複数の端末にストリーミングやバックグラウンドサービスを提供するダウンリンク専用サービスである。前記ＭＢＭＳサービスは、ブロードキャストモードとマルチキャストモードとに分類される。ＭＢＭＳブロードキャストモードは、ブロードキャストエリア内の全ての使用者にマルチメディアデータを伝送するためのモードであり、ＭＢＭＳマルチキャストモードは、マルチキャストエリア内の特定使用者グループにのみマルチメディアデータを伝送するためのモードである。前記ブロードキャストエリアは、ブロードキャストサービスを利用できるエリアであり、前記マルチキャストエリアは、マルチキャストサービスを利用できるエリアである。
【００７２】
図７は、マルチキャストモードを利用して所定のＭＢＭＳサービスを提供する過程を示す。前記過程は、２タイプの動作（すなわち、ＵＴＲＡＮにトランスペアレントな動作とトランスペアレントでない動作）に分けられる。
【００７３】
以下、トランスペアレントな動作について説明する。ＭＢＭＳサービスを受信しようとする使用者は、ＭＢＭＳサービスの受信と、ＭＢＭＳサービスに関する情報の受信と、特定ＭＢＭＳサービスセットへの参加との許可を受けるために、まずサービスに加入する必要がある。サービス案内（Ｓｅｒｖｉｃｅ  Ａｎｎｏｕｎｃｅｍｅｎｔ）は、端末に将来提供されるサービスのリスト及び他の関連情報を提供する。その後、使用者は、これらサービスに参加できる。この参加により、使用者は、使用者が加入しているサービスに関する情報を受信しようとしていることを通知してマルチキャストサービスグループの一員となる。使用者は、所定ＭＢＭＳサービスに関する興味がなくなると、前記サービスを脱退する（すなわち、使用者は、マルチキャストサービスグループの一員でなくなる）。このような動作は、いずれの通信方法でも実行できる（すなわち、このような動作は、ＳＭＳ（Ｓｈｏｒｔ  Ｍｅｓｓａｇｉｎｇ  Ｓｅｒｖｉｃｅ）やインターネットアクセスにより実行できる）。このような動作を必ずしもＵＭＴＳシステムを利用して行う必要はない。
【００７４】
使用者がマルチキャストグループに属するサービスを受信するために、ＵＴＲＡＮにはトランスペアレントでない次の動作が実行される。ＳＧＳＮがＲＮＣにセッション開始を通知した後、前記ＲＮＣは、所定サービスの受信を開始するために、マルチキャストグループのＵＥに前記所定サービスが開始されたことを通知する。必要なＵＥ動作をブロードキャストして前記サービスのためのＰｔＭ（Ｐｏｉｎｔ−ｔｏ−Ｍｕｌｔｉｐｏｉｎｔ）ベアラを設定した後、前記データ伝送を開始する。セッションが中断されると、前記ＳＧＳＮは、前記ＲＮＣにセッション中断を通知し、これにより、前記ＲＮＣは、セッション中断を引き起こす。ＳＧＳＮからのサービス伝送とは、ＲＮＣがＭＢＭＳサービスデータを伝送するためのベアラサービスを提供することを意味する。
【００７５】
通知手順を行った後、ＵＥとＲＮＣとＳＧＳＮ間の他の過程を開始して、ＲＲＣ接続設定、ＰＳドメインへの接続設定、周波数層収束、及び集計などのデータ伝送が可能になる。
【００７６】
ＭＢＭＳサービスを受信すると同時に、ＣＳドメインにおける音声もしくはビデオ電話、ＣＳもしくはＰＳドメインにおけるＳＭＳ伝送、ＰＳドメインにおけるデータ伝送、又はＵＴＲＡＮや、ＣＳもしくはＰＳドメインに関するシグナリングなどの他のサービスも受信することができる。
【００７７】
マルチキャストサービスとは異なり、ブロードキャストサービスにおいては、図８に示すように、サービス案内のみはトランスペアレントな方式で行われる必要がある。加入や参加過程は必要ない。その後のＲＮＣにトランスペアレントな前記動作は、マルチキャストサービスに関する動作と同一である。
【００７８】
図９は、ＵＴＲＡＮ観点からの一般的なセッション順序を示す。図示されたように、前記ＳＧＳＮは、ＲＮＣにセッション開始を通知する（段階１）。前記ＲＮＣは、集計過程を行い、この過程で複数のＵＥをトリガーさせてＰＳドメインとの接続を設定する（段階２）。これにより、ＵＥに対するＲＲＣ接続設定が開始される。これは、ＲＮＣが所定セル内の前記サービスに関心のあるＵＥの個数を把握することを可能にする。ＵＥがＰＳ接続を設定すると、ＳＧＳＮは、Ｉｕリンキング過程を開始して、ＵＥが参加しているマルチキャストサービスリストをＲＮＣに提供する。
【００７９】
ＲＲＣ接続が設定され、所定ＭＢＭＳサービスに関心があるがＰＳドメインとは接続されていないＵＥの場合、ＲＮＣは、ＵＥに特定メッセージを送信して前記ＵＥがＰＳ接続を設定するようにトリガーさせる（段階３）。ＵＥがＰＳ接続を設定すると、ＳＧＳＮは、Ｉｕリンキング過程を開始してＵＥが参加しているマルチキャストサービスリストをＲＮＣに提供する。ＣＥＬＬ＿ＤＣＨ状態でないＵＥの場合、周波数層収束方式により、ＲＮＣがＵＥをトリガーさせて、ＵＥにより観察できる周波数を変更する（段階４）。
【００８０】
ＲＲＭ方式により、ＲＮＣは、ＭＢＭＳサービスを伝送するための１対多（ＰｔＭ）無線ベアラ又は１対１（Ｐｏｉｎｔ−ｔｏ−Ｐｏｉｎｔ：  ＰｔＰ）無線ベアラを設定する（段階５ａ又は５ｂ）。ＲＮＣは、ＳＧＳＮから受信されたデータをマルチキャストグループの一員であるＵＥに伝送する。前記データ伝送の後、ＳＧＳＮは、ＲＮＣにセッション終了を通知する（段階６）。その後、ＲＮＣは、ＭＢＭＳデータを伝送するために使用されたＰｔＰ又はＰｔＭ無線ベアラを解除する（段階７ａ又は７ｂ）。
【００８１】
一般的に、ＲＲＣ接続状態にあるＵＥの場合、２つの可能性が存在する。ＵＥは、ＰＳドメインと接続が設定されているか（ＰＭＭ接続）、又は、ＰＳドメインと接続が設定されていない（ＰＭＭアイドルモード）。ＰＳドメインといずれの接続も設定されていない場合、ＵＥは、一般的にＣＳドメインと接続する。その他の場合、ＵＥはＲＲＣ接続モードでない。
【００８２】
ＭＢＭＳの場合、ＭＣＣＨとＭＩＣＨ（ＭＢＭＳ  Ｎｏｔｉｆｉｃａｔｉｏｎ  Ｉｎｄｉｃａｔｏｒ  Ｃｈａｎｎｅｌ）の２つの制御チャネルをさらに使用する。前述したように、ＭＣＣＨはＦＡＣＨにマッピングされる。ＭＩＣＨは、新しい物理チャネルであり、使用者にＭＣＣＨチャネルを読み込むように通知するために使用される。ＭＩＣＨは、ＵＥがＤＲＸ（Ｄｉｓｃｏｎｔｉｎｕｏｕｓ  Ｒｅｃｅｐｔｉｏｎ）方式を行うことを可能にするために考案されたものである。前記ＤＲＸにより、ＵＥのバッテリ消費を低減することができ、セッションが開始したサービスをＵＥが認識できるようにする。前記ＭＩＣＨは、周波数収束方式の変更、１対多（ＰｔＭ）ベアラ設定の変更、及び１対多（ＰｔＭ）ベアラと１対１（ＰｔＰ）ベアラ間のスイッチングなどをＵＥに通知するために使用される。このようなそれぞれの変更は、ＭＣＣＨが判読されることを必要とする。
【００８３】
ＭＣＣＨチャネルは、アクティブサービス、ＭＴＣＨ構成、周波数収束などに関する情報を周期的に伝送する。ＵＥは、ＭＣＣＨ情報を判読して異なるトリガーを基準に加入しているサービスを受信する。例えば、ＭＩＣＨ上に所定サービスが通知されるか、ＤＣＣＨチャネルで通知されると、前記ＵＥは、セル選択／再選択の後にトリガーされる。前記ＭＣＣＨチャネルの構成は、システム情報によりブロードキャストされる。前記ＭＩＣＨ構成（すなわち、拡散コード、スクランブリングコード、拡散率、及び他の情報）は、標準に定められているか、前記システム情報により与えられる。
【００８４】
ＵＭＴＳ標準では、データ伝送のために異なる周波数帯域を使用させる。ＵＭＴＳにおける周波数帯域は、一般的に使用されている周波数帯域を定義するＵＡＲＦＣＮ（ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）により明示される。所定ＰＬＭＮは他の周波数を利用できる。
【００８５】
ネットワークが他の周波数を使用する場合、所定地域内のＵＥは、測定された周波数品質によって様々な周波数から１つを選択する。また、ＵＥは、前述されたように、システム情報により与えられた他のパラメータに基づいて前記周波数を選択することもできる。異なる周波数により伝送された負荷のバランスを取るために、ＵＥを前記異なる周波数間に分布させる。所定ＭＢＭＳサービスがＰｔＭ無線ベアラ上で伝送されて全ての周波数でＵＥに到着すると、前記伝送は、全ての周波数で行わなければならない。
【００８６】
効率を向上させるために、１つの周波数でデータを伝送し、所定のサービスに関心がある全てのＵＥに前記周波数でセルを再選択させることが効果的である。このような機能を「周波数収束」という。ＵＥが再選択しなければならない周波数層をＰＦＬ（Ｐｒｅｆｅｒｒｅｄ  Ｆｒｅｑｕｅｎｃｙ  Ｌａｙｅｒ）という。図９に示すように、一般的なＭＢＭＳセッションには「周波数収束」の周期が含まれている（段階４）。
【００８７】
周波数収束過程を所定のサービスに使用する場合、各サービス別の選好周波数に関する情報をＭＣＣＨやシステム情報によりメッセージで伝送する。再選択を他の周波数にトリガーするには、様々な可能性が存在する。その１つの可能性は、ＵＥが選好周波数上のセルを選択するようにし、他の周波数上の全てのセルがセル再選択／セル選択に参加できないようにすることである。
【００８８】
他の可能性は、セル再選択に対する要求事項を変更することである。これは、セル選択を行う必要があるか否かを判断するために必要な式のうちの１つにおいて、Ｒ基準、Ｓ基準、又はＨ基準にオフセットを追加することにより行われる。前記オフセットは、前記選好周波数上のセルや非選好周波上の全てのセルに対して追加できる。さらに他の可能性は、ＵＥに選好周波数を選択させるときに把握される。
【００８９】
階層的セル構造において、好ましくは、前記ＵＥは、優先順位が高いセルを再選択する。周波数収束方式を用いる場合、選好周波数の優先順位と関係なく、前記ＵＥに前記選好周波数上のセルの選択が許可されなければならないことを意味する。従って、前記周波数収束方式を用いるということは、前記階層的セル構造が使用されなくなるということを意味する。
【００９０】
ＰＲＡＣＨチャネルは、異なるＵＥ間に共有されるアップリンクチャネルである。ＵＥがＰＲＡＣＨチャネルでアップリンクにデータを伝送する場合、異なるＵＥが同時にデータを伝送することを防止するために特定メカニズムが存在する。このようなメカニズムを「衝突防止（ｃｏｌｌｉｓｉｏｎ  ａｖｏｉｄａｎｃｅ）」といい、スロット付きアロハシステム（ｓｌｏｔｔｅｄ  Ａｌｏｈａ  ｓｙｓｔｅｍ）に基づくＵＭＴＳシステムで実現される。図１０は、ＰＲＡＣＨチャネル上でのメッセージ送信を示す。
【００９１】
ＰＲＡＣＨチャネル上にメッセージを送信する前に、ＵＥは、Ｎｏｄｅ  Ｂにプリアンブルを伝送する。前記プリアンブルは、ＵＥが利用できるコード（シグニチャー）のうちランダムに選択するコードを含み、その選択されたコードをＲＡＣＨサブチャネルという特定物理チャネルで伝送する。ＵＥは、正又は負の承認インジケータを受信するか、所定の再転送回数を超過するまで、このような伝送を数回繰り返す。Ｎｏｄｅ  Ｂは、全てのサブチャネルを観察してチャネルに接続しようとするＵＥにより伝送されたシグニチャーを検出する。Ｎｏｄｅ  Ｂがシグニチャーを受信すると、ＵＥにＰＲＡＣＨチャネルへの接続が許可されたか否かを通知するコードを伝送することにより、特定物理チャネル（ＡＩＣＨ）の受信を確認する。従って、前記ＰＲＡＣＨチャネル上の複数のＵＥの同時伝送を回避することができる。
【００９２】
ＵＥがＡＩＣＨチャネル上でＮＡＣＫ（Ｎｏｔ  Ａｃｋｎｏｗｌｅｄｇｅｄ  Ｍｅｓｓａｇｅ）を受信した場合、又はＡＣＫ（Ａｃｋｎｏｗｌｅｄｇｅｄ  Ｍｅｓｓａｇｅ）もしくはＮＡＣＫのいずれも受信できない場合、前記ＵＥは、衝突防止過程の再開が許可されたか否かを判断する。一定のアルゴリズムによって他の衝突防止過程が許可された場合、ＵＥは、次の衝突防止過程を開始する前に待機する時間を決定する。衝突防止過程後にＡＣＫを受信すると（すなわち、ＰＲＡＣＨへの接続が許可されると）、ＵＥは、前記ＰＲＡＣＨチャネル上でブロックセットを伝送する。
【００９３】
前述したように、周波数収束方式は、所定サービスに関心がある全てのＵＥを所定の周波数上に集中させることで、無線リソースの使用を最適化する。その結果、一部のＵＥは、それらが所定ＭＢＭＳサービスに参加していない場合は選好周波数上のセルは選択していないが、前記ＭＢＭＳサービスに加入しているため、前記選好周波数上のセルを選択できる。
【００９４】
ＭＢＭＳサービスを受信するためのＭＢＭＳサービスの「選好周波数」上のセルを選択するＵＥは、サービス品質が低いサービスを有する。これは、多くのＵＥが選好周波数上の所定のＭＢＭＳサービスを受信するために選好周波数上のセルやセルを選択できるからである。結果的に、セルの負荷又は前記周波数上のセルが増加する。また、選好周波数上の選択されたセルの無線品質が他の周波数の無線品質より悪いことがある。
【００９５】
ＵＥが呼設定又はアップリンクへのデータ伝送を所望する場合、ＵＥは、ＵＥが属している状態／モードに合わせて＜表１＞に示すように、現在の標準によって他の動作を行う必要がある。
【００９６】
【表１】
2008503151.tif 000005
【発明の開示】
【発明が解決しようとする課題】
【００９７】
前述したように、ＭＢＭＳサービスに加入しているため、周波数収束方式を用いるＵＥは、過負荷のセルや悪い無線品質によってＰＲＡＣＨチャネル上でのデータ伝送に問題が有する。従って、このような問題を解決するためには特定メカニズムが要求される。
【００９８】
前記周波数収束メカニズムは、ＣＥＬＬ＿ＤＣＨからＣＥＬＬ＿ＦＡＣＨに移動（ｔｒａｎｓｉｔｉｏｎ）するとき又はＲＮＣがＣＥＬＬ＿ＦＡＣＨ状態にあるＵＥに所定の周波数でセルを選択することを指示するとき、ＲＮＣにより伝送される、選好周波数に関する情報と衝突する。これにより、アクティブＵＥが別途の周波数上にあることはありえないため、システム効率が低下する。
【００９９】
従って、本発明の目的は、参加している１対多サービスの選好周波数層上でのセル選択を有利にする周波数層収束方式の利用を一時停止する方法を提供することにある。
【０１００】
本発明のさらなる長所及び利点は後述する発明の詳細な説明に一部が記述されており、一部は前記説明により明確になり、又は、本発明の適用により理解される。本発明の目的と長所は、特に、発明の詳細な説明及び請求の範囲並びに添付図面に開示された構成により実現及び達成される。
【課題を解決するための手段】
【０１０１】
このような目的を達成するために、本発明は、無線通信システムにおいて移動端末がセルを選択する方法で実現される。前記方法は、選好周波数を有する１対多サービスに参加する段階と、セル選択のために前記選好周波数上のセルの選択を有利にする周波数層収束方式を用いる段階と、トリガー発生時に前記周波数層収束方式の利用を一時停止する段階とを含む。好ましくは、前記１対多サービスはＭＢＭＳサービスである。
【０１０２】
本発明の一態様において、前記周波数層収束方式の利用を一時停止させるトリガーは、前記周波数層収束方式の利用中に失敗したネットワークで開始された過程に基づく。好ましくは、前記ネットワークでの過程は、コアネットワーク（ＣＮ）ドメインとの接続を設定する段階から構成される。前記ＣＮドメインは、少なくともパケット交換（ＰＳ）ドメインと回路交換（ＣＳ）ドメインのうちの１つである。
【０１０３】
本発明の他の態様において、前記ネットワークでの過程は、ＰＲＡＣＨアクセス過程と、ネットワークに情報を伝送するための無線リソース制御（Ｒａｄｉｏ  Ｒｅｓｏｕｒｃｅ  Ｃｏｎｔｒｏｌ：ＲＲＣ）過程と、ネットワークにデータを伝送する媒体アクセス制御（Ｍｅｄｉｕｍ  Ａｃｃｅｓｓ  Ｃｏｎｔｒｏｌ：ＭＡＣ）過程と、ネットワークから受信された順序で所定の周波数上のセルを選択するための過程との少なくとも１つを含む。
【０１０４】
本発明のさらに他の態様において、前記周波数層収束方式の利用を一時停止させるトリガーは、再構成過程を開始するためのメッセージを受信する段階を含む。又は、前記周波数層収束方式の利用を一時停止させるトリガーは、ネットワークから受信された順序で所定の周波数上のセルを選択する過程を開始する段階を含む。
【０１０５】
好ましくは、前記周波数層収束方式の利用の一時停止は、タイマーが満了するまで続く。前記周波数層収束方式が最初に停止したとき、ＰＲＡＣＨアクセス過程を含むネットワークで開始された過程が失敗したとき、ネットワークにデータを伝送するためのＭＡＣ過程を含むネットワークで開始された過程が失敗したとき、又はネットワークから受信された順序で所定周波数上のセルを選択するための過程を含むネットワークで開始された過程が失敗したとき、前記タイマーが起動する。
【０１０６】
前記タイマーの持続期間値は、ネットワークからシステム情報メッセージにより受信される。又は、前記タイマーの持続期間値は、固定値である。
【０１０７】
好ましくは、前記方法は、前記選好周波数ではない他の周波数上のセルを選択する段階をさらに含む。また、前記方法は、ネットワークでの過程を開始する段階と、前記ネットワークで開始された過程が終了するまで前記周波数層収束方式の利用の停止を継続する段階とをさらに含む。また、前記方法は、ネットワークでの過程を開始する段階と、前記ネットワークで開始された過程が終了するとコアネットワークとの接続を解除する段階とをさらに含む。
【０１０８】
本発明の他の実施形態において、無線通信システムにおいてセルを選択する移動端末は、選好周波数を有する１対多サービスに参加するための手段と、前記選好周波数上でのセル選択を有利にするセルを選択するための周波数層収束方式を用いるための手段と、トリガー発生時に前記周波数層収束方式の利用を一時停止させるための手段とを含む。好ましくは、前記１対多サービスは、ＭＢＭＳサービスである。
【０１０９】
本発明の一態様において、前記周波数層収束方式の利用を一時停止させるトリガーは、前記周波数層収束方式の利用中に失敗したネットワークで開始された過程に基づく。好ましくは、前記ネットワークでの過程は、コアネットワーク（ＣＮ）ドメインとの接続を設定する段階から構成される。前記ＣＮドメインは、少なくともパケット交換（ＰＳ）ドメインと回路交換（ＣＳ）ドメインのうちの１つである。
【０１１０】
本発明の他の態様において、前記ネットワークでの過程は、ＰＲＡＣＨアクセス過程と、ネットワークに情報を伝送するための無線リソース制御（ＲＲＣ）過程と、ネットワークにデータを伝送する媒体アクセス制御（ＭＡＣ）過程と、ネットワークから受信された順序で所定の周波数上のセルを選択するための過程との少なくとも１つを含む。
【０１１１】
本発明のさらに他の態様において、前記周波数層収束方式の利用を一時停止させるトリガーは、再構成過程を開始するためのメッセージを受信する段階を含む。又は、前記周波数層収束方式の利用を一時停止させるトリガーは、ネットワークから受信された順序で所定の周波数上のセルを選択する過程を開始する段階を含む。
【０１１２】
好ましくは、前記周波数層収束方式の利用の一時停止は、タイマーが満了するまで続く。前記周波数層収束方式が最初に停止したとき、ＰＲＡＣＨアクセス過程を含むネットワークで開始された過程が失敗したとき、ネットワークにデータを伝送するためのＭＡＣ過程を含むネットワークで開始された過程が失敗したとき、又はネットワークから受信された順序で所定周波数上のセルを選択するための過程を含むネットワークで開始された過程が失敗したとき、前記タイマーが起動する。
【０１１３】
前記タイマーの持続期間値は、ネットワークからシステム情報メッセージにより受信される。又は、前記タイマーの持続期間値は、固定値である。
【０１１４】
好ましくは、前記移動端末は、前記選好周波数ではない他の周波数上のセルを選択するための手段をさらに含む。また、前記移動端末は、ネットワークでの過程を開始するための手段と、前記ネットワークで開始された過程が終了するまで前記周波数層収束方式の利用の停止を継続するための手段をさらに含む。また、前記移動端末は、ネットワークでの過程を開始するための手段と、前記ネットワークで開始された過程が終了するとコアネットワークとの接続を解除するための手段とをさらに含む。
【０１１５】
下記の本発明の一般的な記載及び詳細な記載は例示的であり、請求項に指摘された本発明のさらなる説明のために提供されたものである。
【発明の効果】
【０１１６】
本発明は、ＭＢＭＳサービスに参加しているＵＥが新しい通話／緊急通話の設定又はデータ伝送において、同一のＵＥがＭＢＭＳサービスに参加していないときと同一の成功率、又は同程度の成功率を有することができる。
【発明を実施するための最良の形態】
【０１１７】
本発明は、「選好周波数」が定義されているが、特定環境下で「周波数層収束」方式を利用できないサービスに参加しているＵＥに関する。例えば、前記周波数層収束方式は、ＵＥが新しい呼を設定する場合、又は、参加しているＭＢＭＳサービスの選好周波数を有利にする方式の利用中に前記選好周波数上でネットワークへの接続に失敗した場合には使用できない。
【０１１８】
ＵＥが所定の「選好周波数」上のセルを選択することを有利にする方法の採択を停止する必要があるを否か決定するための方法は多様である。好ましくは、前記周波数層収束方式が前記選好周波数に対して一時停止されると、前記周波数層収束方式は、前記選好周波数が所定の周波数のサービスに対しても一時停止されなければならない。
【０１１９】
本発明の第１実施形態により、ＵＥは、前記周波数収束方式を用いた結果、特定状況が発生すると、前記周波数層収束方式の利用を停止する。好ましくは、ＰＲＡＣＨアクセス過程中に、衝突防止過程が物理層において失敗したことを通知する通知をＵＥがＭＡＣ層を介して受信した場合、ＵＥがＡＩＣＨチャネル上でＮＡＣＫを受信したりＮｏｄｅ  Ｂからいずれの応答も受信できない場合、あるいは前記選好周波数上でデータを伝送するＭＡＣ過程がＵＥが前記周波数層収束方式を用いた結果、失敗した場合、前記ＵＥは前記方式の利用を停止する。
【０１２０】
本発明の第２実施形態により、ＵＥが緊急呼び出しを行わなければならない場合のように特定過程を行わなければならない場合、ＵＥは前記周波数層収束方式の利用を停止する。他の特定過程は、特定理由でＮＡＳ（Ｎｏｎ−Ａｃｃｅｓｓ  Ｓｔｒａｔｕｍ）がＵＥのＡＣ（Ａｃｃｅｓｓ  Ｓｔｒａｔｕｍ）層にＣＮドメインと接続を設定することを指示することであり、前記特定理由としては、音声通話発信（Ｏｒｉｇｉｎａｔｉｎｇ  Ｃｏｎｖｅｒｓａｔｉｏｎａｌ  Ｃａｌｌ）、ストリーミング通話発信（Ｏｒｉｇｉｎａｔｉｎｇ  Ｓｔｒｅａｍｉｎｇ  Ｃａｌｌ）、双方向通話（Ｏｒｉｇｉｎａｔｉｎｇ  Ｉｎｔｅｒａｃｔｉｖｅ  Ｃａｌｌ）発信、バックグラウンド通話発信（Ｏｒｉｇｉｎａｔｉｎｇ  Ｂａｃｋｇｒｏｕｎｄ  Ｃａｌｌ）、加入しているトラヒック通話発信（Ｏｒｉｇｉｎａｔｉｎｇ  Ｓｕｂｓｃｒｉｂｅｄ  Ｔｒａｆｆｉｃ  Ｃａｌｌ）、音声通話終了（Ｔｅｒｍｉｎａｔｉｎｇ  Ｃｏｎｖｅｒｓａｔｉｏｎａｌ  Ｃａｌｌ）、ストリーミング通話終了（Ｔｅｒｍｉｎａｔｉｎｇ  Ｓｔｒｅａｍｉｎｇ  Ｃａｌｌ）、双方向通話終了（Ｔｅｒｍｉｎａｔｉｎｇ  Ｉｎｔｅｒａｃｔｉｖｅ  Ｃａｌｌ）、バックグラウンド通話終了（Ｔｅｒｍｉｎａｔｉｎｇ  Ｂａｃｋｇｒｏｕｎｄ  Ｃａｌｌ）、緊急通話（Ｅｍｅｒｇｅｎｃｙ  Ｃａｌｌ）、ＲＡＴ間セル再選択（Ｉｎｔｅｒ−ＲＡＴ  ｃｅｌｌ  ｒｅ−ｓｅｌｅｃｔｉｏｎ）、ＲＡＴ間セル変更順序（Ｉｎｔｅｒ−ＲＡＴ  ｃｅｌｌ  ｃｈａｎｇｅ  ｏｒｄｅｒ）、登録（Ｒｅｇｉｓｔｒａｔｉｏｎ）、分離（Ｄｅｔａｃｈ）、優先順位が高いシグナリング（Ｏｒｉｇｉｎａｔｉｎｇ  Ｈｉｇｈ  Ｐｒｉｏｒｉｔｙ  Ｓｉｇｎａｌｉｎｇ）発信、優先順位が低いシグナリング発信（Ｏｒｉｇｉｎａｔｉｎｇ  Ｌｏｗ  Ｐｒｉｏｒｉｔｙ  Ｓｉｇｎａｌｉｎｇ）、通話再設定（Ｃａｌｌ  Ｒｅ−ｅｓｔａｂｌｉｓｈｍｅｎｔ）、優先順位が高いシグナリング終了（Ｔｅｒｍｉｎａｔｉｎｇ  Ｈｉｇｈ  Ｐｒｉｏｒｉｔｙ  Ｓｉｇｎａｌｉｎｇ）、優先順位が低いシグナリング終了（Ｔｅｒｍｉｎａｔｉｎｇ  Ｌｏｗ  Ｐｒｉｏｒｉｔｙ  Ｓｉｇｎａｌｉｎｇ）、及び原因不明の終了（Ｔｅｒｍｉｎａｔｉｎｇ−ｃａｕｓｅ  ｕｎｋｎｏｗｎ）、このような理由の一部などがある。
【０１２１】
本発明の第３実施形態により、ＵＥは、ＣＥＬＬ＿ＦＡＣＨ状態、ＣＥＬＬ＿ＰＣＨ状態、ＵＲＡ＿ＰＣＨ状態、又はアイドル状態で所定の周波数上のセルを選択するように要求されると、前記周波数層収束方式の利用を停止する。
【０１２２】
ＵＥが前記理由のうちの１つにより周波数層収束方式の利用を停止すると、ＵＥは、前記周波数層収束方式を再開するための方法も定義する必要がある。好ましくは、前記周波数層収束方式を再開するためのトリガーは、前記周波数層収束方式の停止をトリガーした過程の終了が成功又は失敗したときを意味する。又は、ＵＥは、前記周波数層収束方式の利用が停止された時点でＴｆｒｅｑ＿ｃｏｎｖ＿ｉｎｔのようなタイマーを起動することができる。前記タイマーの時間周期の最後に、前記周波数層収束方式の利用が再開される。従って、このような方式で、前記周波数層収束方式の利用を一時停止させることを制限する。好ましくは、前記タイマーは、セルのシステム情報でブロードキャストされる。
【０１２３】
図１１は、周波数層収束方式に関してＵＥが緊急通話を行う方法を示す。まず、ＣＥＬＬ＿ＦＡＣＨ状態、ＣＥＬＬ＿ＰＣＨ状態、ＵＲＡ＿ＰＣＨ状態、又はアイドル状態にあるＵＥが周波数層収束方式の利用を開始する（段階１）。これにより、ＵＥは、選好周波数を再選択する。次に、ＮＡＳがＡＳにＣＮドメインとの接続を設定することを指示する場合、特定理由値がＵＥに与えられる（段階２）。
【０１２４】
このような理由値に基づいて、前記ＵＥは、周波数層収束方式の利用を停止する（段階３）。従って、ＵＥが前記周波数層収束方式を停止すると、ＵＥは、隣接セルを把握する方式を変える。前記ＵＥがアイドルモード、ＣＥＬＬ＿ＦＡＣＨ状態、ＣＥＬＬ＿ＰＣＨ状態、又はＵＲＡ＿ＰＣＨ状態にある場合、ＣＮドメインと接続を設定する必要があると、これは、ＵＥがセルアップデート（Ｃｅｌｌ  Ｕｐｄａｔｅ）、ＲＲＣ接続要求（ＲＲＣ  Ｃｏｎｎｅｃｔｉｏｎ  Ｒｅｑｕｅｓｔ）及び／又は初期直接伝送（Ｉｎｉｔｉａｌ  Ｄｉｒｅｃｔ  Ｔｒａｎｓｆｅｒ）などのメッセージをＰＲＡＣＨチャネルでＮｏｄｅ  Ｂに送信しなければならないことを意味する（段階４）。
【０１２５】
現在、周波数上の単数又は複数の現在セルがロードされると、現在周波数ではＰＲＡＣＨチャネル接続が失敗する（段階５）。これにより、前記ＵＥは、周波数層収束方式を利用することができなくなるため、選好周波数で他の周波数上のセルを再選択する（段階６）。セル再選択の後、最上のセルが選択されるため、ＰＲＡＣＨチャネル接続が成功する確率が高い（段階７）。
【０１２６】
通話が終了すると、ＣＮドメインとの接続を解除する（段階８）。前記ＵＥは、周波数層収束方式が依然として適用されている場合、前記周波数層収束方式の利用を再開する（段階９）。
【０１２７】
図１２は、タイマーを利用してＵＥが周波数層収束方法を停止する方法を示す図である。まず、ＣＥＬＬ＿ＦＡＣＨ状態、ＣＥＬＬ＿ＰＣＨ状態、ＵＲＡ＿ＰＣＨ状態、又はアイドル状態にあるＵＥが周波数層収束方式の利用を開始する（段階１）。これにより、前記ＵＥは、選好周波数を再選択する。
【０１２８】
次に、多くのイベントのうち１つが発生する（段階２）。例えば、ＮＡＳがＡＳにＣＮドメインとの接続を設定することを指示して特定理由値をＵＥに提供するか、又は、アップリンクへの伝送を要求するＲＲＣ過程が開始する。また、前記アップリンクへのデータ伝送が開始するか、ＵＥが所定の選好周波数上のセルを選択することが要求される。
【０１２９】
従って、前記ＵＥは、周波数層収束方式の利用を停止する。周波数層収束方式の利用が停止されると、前記ＵＥは、隣接セルを把握する方式を変える。また、前記方式の利用が停止されると、前記ＵＥは、Ｔｆｒｅｑ＿ｃｏｎｖ＿ｉｎｔのようなタイマーを起動することができる（段階３）。前記タイマーの持続期間は、固定値であるか、又は、ＵＥがシステム情報から読み出した値を活用できる。
【０１３０】
その後、前記ＵＥは、ＰＲＡＣＨチャネルでデータをＮｏｄｅ  Ｂに伝送する（段階４）。現在周波数上の単数又は複数の現在セルがロードされると、現在周波数ではＰＲＡＣＨチャネル接続が失敗する（段階５）。
【０１３１】
段階３で前記タイマーＴｆｒｅｑ＿ｃｏｎｖ＿ｉｎｔを起動する他の場合は、第１ＰＲＡＣＨアクセス過程が失敗した場合であり、この場合にタイマーを起動する（段階６）。ＮＡＣＫを受信した場合、応答メッセージを受信していない場合、又はＭＡＣ層においてリトライメカニズムがタイムアウトした場合は、前記ＰＲＡＣＨアクセス過程が失敗して再伝送が行われなくなる。前記タイマーの持続期間は、固定値であるか、又は、ＵＥがシステム情報から読み出した値を活用できる。
【０１３２】
これにより、前記ＵＥは、周波数層収束方式を利用することができなくなるため、選好周波数で他の周波数上のセルを再選択する（段階７）。前記セル再選択後、最上のセルが選択されたため、ＰＲＡＣＨへの接続が成功する確率がより高くなる（段階８）。
【０１３３】
前記タイマーＴｆｒｅｑ＿ｃｏｎｖ＿ｉｎｔが満了して通話が終了すると、ＣＮドメインとの接続が解除される（段階９）。前記ＵＥは、前記周波数層収束方式が依然として適用されている場合、前記方式の利用を再開する（段階１０）。
【０１３４】
本発明は、無線通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲を特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【０１３５】
本実施形態は、ソフトウェア、ファームウェア、ハードウェア、又はこれらの組み合わせを生産するための標準プログラム及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【０１３６】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空間を通じて伝達される信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【０１３７】
本発明の精神や重要な特性から外れないように多様な形態で本発明を実現することにより、前述した実施形態のいずれの細部の記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【０１３８】
発明の理解を容易にするために添付され、本明細書の一部を構成する図面は、発明の多様な実施形態を示し、明細書と共に発明の原理を説明するためのものである。
【図１】一般的なＵＭＴＳネットワーク構造を示すブロック図である。
【図２】３ＧＰＰ無線アクセスネットワーク標準に準拠した端末とネットワーク間のインタフェースプロトコルの構成を示すブロック図である。
【図３】移動端末で論理チャネルをトランスポートチャネルにマッピングすることを示す図である。
【図４】ネットワークで論理チャネルをトランスポートチャネルにマッピングすることを示す図である。
【図５】ＵＭＴＳネットワークでモードと状態間の移行を示す図である。
【図６】セル選択のための決定過程を示す図である。
【図７】マルチキャストモードを利用して所定の１対多サービスを提供する過程を示す図である。
【図８】ブロードキャストサービスを提供する過程を示す図である。
【図９】ネットワーク観点からのセッション順序を示す図である。
【図１０】ＰＲＡＣＨチャネル上でメッセージを送信する過程を示すフローチャートである。
【図１１】本発明の一実施形態による周波数層収束方式の一時停止を示す図である。
【図１２】本発明の一実施形態によるタイマーを利用した周波数層収束方式の一時停止を示す図である。
【図１】
2008503151.tif 000006
【図２】
2008503151.tif 000007
【図３】
2008503151.tif 000008
【図４】
2008503151.tif 000009
【図５】
2008503151.tif 000010
【図６】
2008503151.tif 000011
【図７】
2008503151.tif 000012
【図８】
2008503151.tif 000013
【図９】
2008503151.tif 000014
【図１０】
2008503151.tif 000015
【図１１】
2008503151.tif 000016
【図１２】
2008503151.tif 000017
【国際調査報告】
2008503151.tif 000018
2008503151.tif 000019
2008503151.tif 000020